(57)【要約】      （修正有）【課題】使用者を傷つけることがなく、安全性が向上する安全テープカッターを提供する。【解決手段】主に使用時にはテープがカッターにより切断された後は、バネの弾性回復力により該テープ前縁は下方へと移動し、該テープ前縁は下垂し該本体台のガード壁に接近し、次回使用時には該テープ前縁は便利に手で取ることができる。さらに、カッターの前方と両側は本体台のガード壁の前側と側蓋により保護され、該カッター下方の後側はばねの反対側下端によりガードされ、しかも、該ガード壁の前側下縁には該カッター方向に傾斜する斜面を具え、該カッターの下端は該斜面の下端よりやや高いため、該カッターが使用者を傷つけることはなくなり、安全性が向上する。【選択図】図３
0003116494.tif 000002
【実用新案登録請求の範囲】
【請求項１】
主に本体台の壁面に軸カバーを設置しテープを装置し、該壁面の側辺上方の適当な位置には可動軸によりテープ導入ホイールを可動設置し、これにより該本体台の壁面片側のガード壁前側にはカッターを設置し、該カッターの切り口は下に向き、テープを該軸カバーに装置後、テープの前縁は外側へと向かい該テープ導入ホイールに従い引き出され、該テープ前縁が必要な長さだけ引き出された後は下から上へと引き上げ、該テープはカッターの切り口により切断されることを特徴とする安全テープカッター。
【請求項２】
前記本体台の後側壁の側辺には側蓋を可動接続し、前記カッターは前記本体台と一緒に射出成型され、前記本体台の壁面の片側のガード壁前側に固定され、前記カッターは定位孔を具え、前記本体台と射出成型後は噛合い部位を形成し、かつ固定部品を選択、直接利用し、前記本体台の壁面の片側のガード壁前側と直接固定、接続することを特徴とする請求項１記載の安全テープカッター。
【請求項３】
前記本体台の壁面には別に定位棒を設置し、バネを装置し、該バネの片側は前記本体台の壁面上方に延長形成する上壁面の予定部位に定位し、該バネの反対側の下端は前記カッターに接近し、しかも該バネの下端は前記カッターの下方の切り口よりやや低く、こうして前記テープの前縁は前記テープ導入ホイールに従い必要な長さだけ引き出され、下から上へと前記カッターの切り口に向かい切断される前において、前記テープは該バネの反対側の下端により上方へと押され、前記テープ前縁が前記カッターにより切断された後は、該バネの弾性回復力により前記テープ前縁は下方へと移動し、前記テープ前縁は下垂し前記本体台のガード壁に接近し、次回使用時には前記テープ前縁は便利に手で取ることができることを特徴とする請求項１記載の安全テープカッター。
【請求項４】
前記本体台の壁面片側のガード壁の前側下縁にはカッター方向に傾斜した斜面を具え、該カッターの下端は該斜面下端よりやや高いため、使用者が切傷を負う恐れを払拭することができることを特徴とする請求項１記載の安全テープカッター。
【考案の詳細な説明】
【技術分野】
【０００１】
本考案は一種の安全テープカッターに関する。特に一種の使用時に使用者が切傷を負うことを防止し、安全性が高く、テープが切断後はテープ前縁は自然に下垂し次の使用時に引き出し易い安全テープカッターに係る。
【背景技術】
【０００２】
公知のテープカッターは図１、２に示すように、カッターの歯が上を向いているため、鋭利なカッターを採用することができず、すなわちテープをスムーズに切断することができない。しかも、使用時には不注意で手を切傷してしまう恐れがあり、安全性が劣る。さらに、テープを必要な長さだけ切断後は、該テープの前縁はカッター台或いはテープ本体に粘着し易いため、次回使用時に引き出し切断を行うためには、先ずテープ前縁をカッター台或いはテープから剥離しなければならず、非常に面倒で時間を浪費する。
【考案の開示】
【考案が解決しようとする課題】
【０００３】
公知構造には以下の欠点があった。
すなわち公知のテープカッターはカッターの歯が上を向いており危険なため、鋭利なカッターを採用することができず、テープをスムーズに切断することができない。しかも、鋭利なカッターを採用していないにもかかわらず、使用時には不注意で手を切傷してしまう恐れもある。さらに、テープを必要な長さだけ切断後は、該テープの前縁はカッター台或いはテープ本体に粘着し易いため、次回使用時に引き出し切断を行うためには、先ずテープ前縁をカッター台或いはテープから剥離しなければならず、非常に面倒で時間を浪費する。
本考案は上記構造の問題点を解決した安全テープカッターを提供するものである。
【課題を解決するための手段】
【０００４】
上記課題を解決するため、本考案は下記の安全テープカッターを提供する。
それは主にテープがカッターにより切断されると、バネの弾性回復力によりテープ前縁は下方へ移動し、テープ前縁は確実に下垂し本体台のガード壁に接近し、テープを次回使用時には、便利に手で該前縁を取ることができるようにし、
またそれはカッターの前方と両側が本体台のガード壁の前側と側蓋により保護され、該カッター下方の後側はばねの反対側下端によりガードされ、しかも、該ガード壁の前側下縁には該カッター方向に傾斜する斜面を具え、該カッターの下端は該斜面の下端よりやや高いため、該カッターが使用者を傷つけることはなくなり、安全性が向上し、
すなわちそれは、本体台の壁面に軸カバーを設置しテープを装置し、該壁面の側辺上方の適当な位置には可動軸によりテープ導入ホイールを可動設置し、これにより該本体台の壁面片側のガード壁前側にはカッターを設置し、該カッターの切り口は下に向き、テープを該軸カバーに装置後、テープの前縁は外側へと向かい該テープ導入ホイールに従い引き出され、該テープ前縁が必要な長さだけ引き出された後は下から上へと引き上げ、該テープはカッターの切り口により切断され、
該本体台の後側壁の側辺には側蓋を可動接続し、該カッターは該本体台と一緒に射出成型され、該本体台の壁面の片側のガード壁前側に固定され、該カッターは定位孔を具え、該本体台と射出成型後は噛合い部位を形成し、かつ固定部品を選択、直接利用し、該本体台の壁面の片側のガード壁前側と直接固定、接続し、
該本体台の壁面には別に定位棒を設置し、バネを装置し、該バネの片側は該本体台の壁面上方に延長形成する上壁面の予定部位に定位し、該バネの反対側の下端は該カッターに接近し、しかも該バネの下端は該カッターの下方の切り口よりやや低く、こうして該テープの前縁は該テープ導入ホイールに従い必要な長さだけ引き出され、下から上へと該カッターの切り口に向かい切断される前において、該テープは該バネの反対側の下端により上方へと押され、該テープ前縁が該カッターにより切断された後は、該バネの弾性回復力により該テープ前縁は下方へと移動し、該テープ前縁は下垂し該本体台のガード壁に接近し、次回使用時には該テープ前縁は便利に手で取ることができ、
該本体台の壁面片側のガード壁の前側下縁には該カッター方向に傾斜する斜面を具え、該カッターの下端は該斜面の下端よりやや高いため、該カッターが使用者を傷つけることはなくなり、安全性が向上することを特徴とする安全テープカッターである。
【考案の効果】
【０００５】
上記のように本考案においては、テープはカッターにより切断されると、バネの弾性回復力によりテープ前縁は下方へ移動し、テープ前縁は確実に下垂し本体台のガード壁に接近し、テープを次回使用時には、便利に手で該前縁を取ることができるようにする。またカッターの前方と両側は本体台のガード壁の前側と側蓋により保護され、該カッター下方の後側はばねの反対側下端によりガードされ、しかも、該ガード壁の前側下縁には該カッター方向に傾斜する斜面を具え、該カッターの下端は該斜面の下端よりやや高いため、該カッターが使用者を傷つけることはなくなり、安全性が向上する。またカッターと本体台は一緒に射出成型され、カッターは本体台の壁面のガード壁前側に固定され、しかも、該カッターの両側には定位孔、或いは中央部分の適当な位置に定位孔を具え、該本体台を射出成型後には噛合いを形成するため、該カッターと該本体台の安定的な固定効果を向上させることができる。さらに、テープを装置する軸カバーの外径は該テープの内径よりわずかに小さく、該軸カバーの周囲には複数の槽隙を具えるため、該テープは適当に緊密に該軸カバーに装置され、該テープを固定する効果を発揮し、該テープの引き出しは有利となる。また吸盤を設置することもできるため、固定或いは移動とも非常に便利である。
【考案を実施するための最良の形態】
【０００６】
図３〜１２に示すように、本考案は本体台１の壁面１１に軸カバー１１１を設置し、テープ３を装置する。該壁面１１の側辺上方の適当な位置には別に可動軸１１０によりテープ導入ホイール１１２を可動設置する。
該本体台１の壁面１１のガード壁１３の前側１３１にはカッター２を設置する。
該カッター２の切り口は下を向き、該テープ３を該軸カバー１１１に装置すると、該テープ３の前縁３１は外側に向かい該テープ導入ホイール１１２に従い引き出される(図６参照)。該テープ３の前縁３１を必要な長さ分引き出し、次に下から上へと引き上げる(図７参照)と、該テープ３前縁は該カッター２の切り口により切断される。続いて、該前縁３１は下垂し、該本体台１の壁面１１前側に延長形成するガード壁１３に接近し、次回テープを使用する時には手で該テープの前縁３１を取るだけでよく、非常に便利である(図８参照)。
【０００７】
さらに該本体台１の後側壁１４の側辺は該側蓋１０と一体成型し、さらに比較的薄い部位１４０を具え開閉に有利である。かつ該本体台１はまた回転軸(図示なし)或いはバインダーと側蓋１０による可動接続とすることもできる。或いは他の方式により、該本体台１と該側蓋１０を可動接続することもできるが、これらは公知の技術であるため詳述しない。
また該本体台１のガード壁１３の外側端面１３０は陥没入部１３０１を具え、しかも光沢面ではないため、テープ前縁３１の粘着状況を減少させることができる。
さらに該本体台１の壁面１１には別に数個の定位柱１１３を設置し、該側蓋１０はこれに対応し数個の定位槽１０１２を設置する。これにより、該本体台１と該側蓋１０を閉めた時、該本体台１の各定位柱１１３と該側蓋１０の定位槽１０１２は相互に凹凸が合致し嵌合する。しかも該本体台１の軸カバー１１１の外径は該テープ３の内径よりわずかに小さく、該軸カバー１１１の周囲には複数の槽隙１１１２を具えるため、該テープ３は適当に緊密に該軸カバー１１１に装置され、該テープ３を固定する効果を発揮し、該テープ３の引き出しは有利となる。
該本体台１の壁面１１に可動設置するテープ導入ホイール１１２のホイール面１１２１も光沢面ではないため、該テープ３の粘着状況を防止或いは減少させることができる。
【０００８】
該カッター２は先ず該本体台１の射出成型金型(図示なし)に入れ、該本体台１と一緒に射出成型し、こうして該カッター２は該本体台１の壁面１１片側のガード壁１３の前側１３１に固定される。
しかも、図１１に示すように、該カッター２の両側には定位孔２１を具え(或いは図１２に示すように、中央部分の適当な位置に定位孔２２を具える)、該本体台１を射出成型後には噛合いAを形成する。こうして該カッター２と該本体台１の安定的な固定効果を向上させ、しかも該カッター２は固定部品を使用し、該本体台１のガード壁１３の前側１３１と組合せ固定することができる。
【０００９】
別に該本体台１の壁面１１には定位棒１１４を設置し、バネ１５を設置することができる。これにより、該バネ１５の片側１５１は該本体台１の壁面１１上方に延長形成する上壁面１２の予定部位１２１に定位され、該バネ１５の反対側の下端１５２は該カッター２にちょうど接近する。
しかも該バネ１５の下端１５２は該カッター２の下方にある切り口よりやや低いため、該テープ３の前縁３１は該テープ導入ホイール１１２に従い必要な長さだけ引き出され(図６参照)、下から上へと該カッター２の切り口に向け切断される前に、先ず該前縁３１により該バネ１５の反対側の下端１５２を上向きに押す(図７参照)。該前縁３１が該カッター２により切断された後は、該バネ１５の弾性回復力により、該テープ前縁３１を下向きに移動させ、該前縁３１を確実に下垂させ、該本体台１のガード壁１３に接近させる(図８参照)。これにより、テープ３を次回使用時には、便利に手で該前縁３１を取ることができるようにする。
【００１０】
該カッター２の前方と両側は該本体台１のガード壁１３の前側１３１(図１０参照)と該側蓋１０により保護され、該カッター２下方の後側は該ばね１５の反対側下端によりガードされる。しかも、該ガード壁１３の前側１３１下縁には該カッター２方向に傾斜する斜面１３１０を具え、該カッター２の下端は該斜面１３１０の下端よりやや高いため、該カッター２が使用者を傷つけることはなくなり、安全性が向上する。
別に図９に示すように、該本体台１の底部１７には数個のひょうたん型の定位孔１６を設置し吸盤４を設置することにより、予定の位置に吸着し固定させることができる。
【図面の簡単な説明】
【００１１】
【図１】公知のテープカッターとテープの開放状態立体図である。
【図２】公知のテープカッターとテープの立体図である。
【図３】本考案実施例の立体図である。
【図４】本考案実施例の開放状態立体図である。
【図５】本考案実施例の立体図である。
【図６】本考案実施例の断面指示図である。
【図７】本考案実施例でテープが上へと引かれているが、まだ切断されない状態の断面指示図である。
【図８】本考案実施例でテープカット後の断面指示図である。
【図９】本考案実施例の底面平面図である。
【図１０】本考案実施例の部分平面拡大図である。
【図１１】本考案実施例の別の角度からの部分断面拡大図である。
【図１２】本考案実施例においてカッターの定位孔が異なる位置にある実施状態の断面指示図である。
【符号の説明】
【００１２】
１  本体台
１０  側蓋
１０１２  定位槽
１１  壁面
１１０  可動軸
１１１  軸カバー
１１１２  槽隙
１１２  テープ導入ホイール
１１２１  ホイール面
１１３  定位柱
１１４  定位棒
１２  上壁面
１３  ガード壁
１３０  外側端面
１３０１  陥没入部
１３１  前側
１３１０  斜面
１４  後側壁
１４０  比較的薄い部位
１５  バネ
１５１  片側
１５２  反対側下端
１６  定位孔
２１  定位孔
２２  定位孔
１７  底部
２  カッター
３  テープ
３１  テープ前縁
４  吸盤
A  噛合い部位
【図１】
0003116494.tif 000003
【図２】
0003116494.tif 000004
【図３】
0003116494.tif 000005
【図４】
0003116494.tif 000006
【図５】
0003116494.tif 000007
【図６】
0003116494.tif 000008
【図７】
0003116494.tif 000009
【図８】
0003116494.tif 000010
【図９】
0003116494.tif 000011
【図１０】
0003116494.tif 000012
【図１１】
0003116494.tif 000013
【図１２】
0003116494.tif 000014